(57)【特許請求の範囲】
【請求項１】
一方向に並列され、上方に向けた開口を有する複数の凹部と、
複数の仕切壁と、を備え、
各仕切壁は、前記凹部の間に設けられ、前記凹部を挟んで隣接する他の仕切壁の壁面と対向する壁面を有しており、
該仕切壁の高さは、前記凹部を規制する縁よりも高いことを特徴とするゴルフクラブ陳列補助具。
【請求項２】
前記仕切壁の対向する壁面の少なくとも一方にＲ状の窪みを有することを特徴とする請求項１記載のゴルフクラブ陳列補助具。
【請求項３】
前記仕切壁の対向する壁面の両方にＲ状の窪みを有することを特徴とする請求項１記載のゴルフクラブ陳列補助具。
【請求項４】
前記Ｒ状の窪みは、前記凹部の内面と連続していることを特徴とする請求項２又は３記載のゴルフクラブ陳列補助具。
【請求項５】
前記仕切壁の間を亘る上面外縁から前記凹部を規制する縁まで下方に傾斜する傾斜面が形成されていることを特徴とする請求項１乃至４いずれか記載のゴルフクラブ陳列補助具。
【発明の詳細な説明】
【技術分野】
【０００１】
本発明は、ゴルフクラブのヘッドの方向を一定方向に規制して陳列するためのゴルフクラブ陳列補助具に関するものである。
【背景技術】
【０００２】
従来から、ゴルフショップなどにおいては、顧客がゴルフクラブを選びやすくするために、アイアンなど複数のゴルフクラブを立てた状態で一方向に並列に陳列することが行われている。このような陳列を補助するためのものとして、例えば、図５に示されるようなゴルフクラブ陳列具３０が用いられる（例えば、特許文献１）。ゴルフクラブ陳列具３０は、ゴルフクラブ補助具３２及び支持具３４を備え、ゴルフクラブ補助具３２の上面には、一方向に並列され上方に向けた開口を有する円形の凹部３６が複数形成されている。また、支持具３４は、併設された溝３８にゴルフクラブ４０のシャフトのヘッド近傍が挿入され支持するように構成されている。
【特許文献１】特開２００７−２４４８２４
【発明の開示】
【発明が解決しようとする課題】
【０００３】
しかしながら、この種のゴルフクラブ陳列具３０は、ゴルフクラブのヘッドの方向を規制していないため、ゴルフクラブ毎にヘッドの向きが異なり、並列に陳列されたゴルフクラブの外観を害するという問題を有する。
【０００４】
そこで、本発明は、ゴルフクラブのヘッドの方向を規制することができるゴルフクラブ陳列補助具を提供することを目的とする。
【課題を解決するための手段】
【０００５】
上記の目的を達成するため、本発明は、一方向に並列され、上方に向けた開口を有する複数の凹部と、前記凹部の間に設けられ、前記凹部を挟んで対向した壁面を有する仕切壁と、を備え、該仕切壁の高さは、前記凹部を規制する縁よりも高いことを特徴とするゴルフクラブ陳列補助具である。本発明に係るゴルフ陳列補助具は、ゴルフクラブのヘッドを仕切壁に当接させることによって、その方向を規制することができる。
【０００６】
本発明に係るゴルフ陳列補助具においては、前記仕切壁の対向する壁面の少なくとも一方にＲ状の窪みを有することが好ましく、また、前記仕切壁の対向する壁面の両方にＲ状の窪みを有することが好ましい。さらに、前記Ｒ状の窪みは、前記凹部の一部を形成していることが好ましい。本発明に係るゴルフ陳列補助具は、ゴルフクラブのヘッド側を下にして配置されたゴルフクラブのヘッド部のＲ状の背面側の一部が、Ｒ状の窪みの一部に当接されることによって、配置されたゴルフクラブの方向が規制される。
【０００７】
本発明においては、前記仕切壁の間を亘る上面外縁から前記凹部を規制する縁まで下方に傾斜する傾斜面が形成されていることが好ましく、これにより、ゴルフクラブのヘッドの底面を傾斜面に沿って配置できるので、ゴルフクラブをより安定に配置することができる。
【発明の効果】
【０００８】
以上のように、本発明によれば、ゴルフクラブのヘッドの方向を規制することができるゴルフクラブ陳列補助具を提供することができる。
【発明を実施するための最良の形態】
【０００９】
次に、本発明に係るゴルフクラブ陳列補助具の実施例を図面に基づいて説明する。図１は、本実施例に係るゴルフクラブ陳列補助具１０の斜視図、図２は、本実施例に係るゴルフクラブ陳列補助具１０の平面図、図３は、本実施例に係るゴルフクラブ陳列補助具１０のＡ−Ａ’線に沿った断面図、図４は、ゴルフクラブ陳列補助具１０の使用状態を示した図である。
【００１０】
本実施例に係るゴルフクラブ陳列補助具１０は、アイアンクラブ４１を陳列するための陳列補助具であって、図１及び２に示されるように、上面に上方に向けた開口を有する複数の凹部１２が形成された帯状の補助具本体１１と、前記凹部１２の間に設けられ、前記凹部１２を挟んで対向した壁面１４Ａ及び１４Ｂを有する仕切壁１６とを備える。
【００１１】
凹部１２は、補助具本体１１の長手方向に並列して上方に向けて開口しており、円柱状に形成されている。開口部の大きさは、ヘッド側を下にして配置されたアイアンクラブ４１のヘッドの底面の一部が凹部１２に挿入され、かつアイアンクラブ４１のグリップを下にして配置したとき、アイアンクラブ４１のグリップの上端が凹部１２に挿入される大きさであり、アイアンクラブ４１のグリップの上端よりも若干大きいことが好ましい。
【００１２】
仕切壁１６は、凹部１２を挟んで配置されており、前記凹部１２を規制する縁１８、すなわち凹部１２の開口面よりも高くなるように構成されている。仕切壁１６の凹部１２を挟んで対向した両壁面１４Ａ、１４Ｂには、Ｒ状の窪み２０が対向して形成されている。このＲ状の窪み２０は、円柱状の凹部１２と同一の曲率半径を有し、その内面が凹部１２の内面と連続している。ヘッド側を下にして配置されたアイアンクラブ４１のヘッド部のＲ状の背面側の一部が、Ｒ状の窪み２０の一部に当接されることによって、配置されたアイアンクラブ４１の方向が規制される。
【００１３】
補助具本体１１には、前記仕切壁１６の間を亘る上面外縁２４、すなわち補助具本体１１の幅方向の基端から前記凹部を規制する縁１８まで下方に傾斜する傾斜面２２が形成されている。本実施例において、上面外縁２４は、仕切壁１６の高さよりも低くなるように構成されている。配置されたアイアンクラブ４１のヘッドの底面の一部が、この傾斜面２２に当接することによって、より安定した状態でアイアンクラブ４１を配置することができる。
【００１４】
本発明に係るゴルフクラブ陳列補助具１０を用いてゴルフクラブを陳列する場合は、図１及び４に示されるように、アイアンクラブ４１のヘッドのフェース面又はその背面を仕切壁１６に当接する。ゴルフクラブのシャフト部分は、例えば、図４に示された支持装置５０が備える溝５２により支持される。これらにより、アイアンクラブ４１のヘッドの方向を一定方向に規制して陳列することができる。
【００１５】
本発明に係るゴルフクラブ陳列補助具１０は、凹部１２を規制する縁１８よりも高い仕切壁１６を有するので、ゴルフクラブのヘッドを下にして、かつ方向を一定方向に規制することができる。
【００１６】
また、本発明に係るゴルフクラブ陳列補助具１０は、従来のゴルフクラブ陳列補助具と同様に凹部１２を有しているので、ゴルフクラブのグリップの上端を凹部１２に挿入することにより、従来と同様にゴルフクラブのヘッドを上にして陳列することもできる。
【００１７】
本発明に係るゴルフクラブ陳列補助具１０は、ゴルフショップの広さや売り方によって自由にゴルフクラブを下向き又は上向きで陳列することができ、下向きにした際にはヘッドの方向を一定方向に規制することができる。また、ゴルフクラブ同士がぶつかり、傷をつけることもない。
【００１８】
さらに、本発明に係るゴルフクラブ陳列補助具１０は、仕切壁１６が凹部１２に対向する壁面１４Ａ及び１４Ｂを有しているので、右利き用及び左利き用いずれのゴルフクラブにも適用できる。
【図面の簡単な説明】
【００１９】
【図１】本実施例に係るゴルフクラブ陳列補助具の斜視図である。
【図２】本実施例に係るゴルフクラブ陳列補助具の平面図である。
【図３】本実施例に係るゴルフクラブ陳列補助具のＡ−Ａ’線に沿った断面図である。
【図４】ゴルフクラブ陳列補助具の使用状態を示した図である。
【図５】従来のゴルフクラブ陳列補助具の使用状態を示した図である。
【符号の説明】
【００２０】
１０・・・ゴルフクラブ陳列補助具
１２・・・凹部
１４・・・壁面
１６・・・仕切壁
１８・・・縁
【図１】
0005280098.tif 000002
【図２】
0005280098.tif 000003
【図３】
0005280098.tif 000004
【図４】
0005280098.tif 000005
【図５】
0005280098.tif 000006